(57)【特許請求の範囲】
【請求項１】
開閉できる直方体形状の樹脂製ファイル・フォルダー（Ｆ）、および、発光体（Ｌ）を用いた文字及び／または図を発光表示するボードであって、
前記の樹脂製ファイル・フォルダー（Ｆ）の少なくとも一面が光を透過しやすい樹脂製で、表示する文字及び／または図を描画した画像シートを前記の光を透過しやすい面の内側に配設するとともに、
樹脂製ファイル・フォルダー（Ｆ）に収められるサイズの波板（Ｄ）の谷部に前記の発光体（Ｌ）を配設して、該波板（Ｄ）と谷部の発光体（Ｌ）を、前記の光を透過しやすい面とその対向面とで挟んだ、発光ボード。
【請求項２】
開閉できる直方体形状の樹脂製ファイル・フォルダー（Ｆ）、および、発光体（Ｌ）を用いた文字及び／または図を発光表示するボードであって、
前記の樹脂製ファイル・フォルダー（Ｆ）の少なくとも一面が光を透過しやすい樹脂製で、表示する文字及び／または図を描画した画像シートを前記の光を透過しやすい面の内側に配設するとともに、
樹脂製ファイル・フォルダー（Ｆ）に収められるサイズの波板（Ｄ）の谷部に前記の発光体（Ｌ）を配設して、該波板（Ｄ）と谷部の発光体（Ｌ）を、前記の光を透過しやすい面とその対向面とで挟んだ、発光ボードであり、かつ、
該波板（Ｄ）が、樹脂製ファイル・フォルダー（Ｆ）に収められるようにＮ枚に分割された波板（Ｄ１、Ｄ２、・・・ＤＮ）からなる、発光ボード。（ここでＮは自然数。）
【請求項３】
開閉できる直方体形状の樹脂製ファイル・フォルダー（Ｆ）、および、発光体（Ｌ）を用いた文字及び／または図を発光表示するボードであって、
前記の樹脂製ファイル・フォルダー（Ｆ）の少なくとも一面が光を透過しやすい樹脂製で、表示する文字及び／または図を描画した画像シートを前記の光を透過しやすい面の内側に配設するとともに、
樹脂製ファイル・フォルダー（Ｆ）に収められるサイズの波板（Ｄ）の谷部に前記の発光体（Ｌ）を配設して、該波板（Ｄ）と谷部の発光体（Ｌ）を、前記の光を透過しやすい面とその対向面とで挟んだ、発光ボードであり、かつ、
該波板（Ｄ）に、表示する文字及び／または図を示す光通過孔が穿孔された、発光ボード。
【請求項４】
樹脂製ファイル・フォルダー（Ｆ）の最大面積をなす対向する二面（Ａ、Ｂ）がともに光を透過しやすい樹脂製で、表示する文字及び／または図を描画した二枚の画像シート（ＡＡ、ＢＢ）を前記の対向する二面（Ａ、Ｂ）それぞれの内側に配設するとともに、
樹脂製ファイル・フォルダー（Ｆ）に収められるサイズの波板（Ｄ）の表裏の谷部に発光体（Ｌ）を配設して、該波板（Ｄ）とその表裏の谷部の発光体（Ｌ）を前記の対向する二面（Ａ、Ｂ）で挟むことで、該二面（Ａ、Ｂ）それぞれに文字及び／または図を発光表示する、請求項１から請求項３のいずれかに記載された発光ボード。
【請求項５】
発光体（Ｌ）が、棒状発光体（ＬＢ）である、請求項１から請求項４のいずれかに記載された発光ボード。
【請求項６】
棒状発光体（ＬＢ）が、化学発光スティック（ＬＣ）である、請求項５の発光ボード。
【請求項７】
棒状発光体（ＬＢ）が、発光ダイオードの一次発光部と、該一次発光部の光エネルギーで二次発光する棒状蛍光材及び／または棒状導光材及び／または棒状蓄光材からなる棒状の二次発光部とを結合させてなる棒状LED発光体（ＬＤ）である、請求項５の発光ボード。
【請求項８】
波板（Ｄ）の全部または一部が、光を透過しやすい材によるものである、請求項１から請求項３のいずれかに記載された発光ボード。
【請求項９】
光を透過しやすい材による波板（Ｄ）の全部または一部の表面に、表示する文字及び／または図が描画された、請求項８の発光ボード。
【請求項１０】
波板（Ｄ）の全部または一部が、光を反射しやすい材によるものである、あるいは、
波板（Ｄ）の全部または一部の表面に、光反射率の高い材を塗布または接着または圧着または蒸着したものである、請求項１から請求項３のいずれかに記載された発光ボード。
【請求項１１】
波板（Ｄ）の光通過孔を通過する文字及び／または図の表示光が、発光ボードを見る方向によって波板（Ｄ）の山で遮蔽され、発光ボードを見る方向による暗号化効果が得られるように光通過孔を穿孔した、請求項３の発光ボード。
【発明の詳細な説明】
【技術分野】
【０００１】
本発明は、たとえば、首都圏震災にて大停電の漆黒の闇の中で右往左往する帰宅難民者に、コンビニ等で供給される水や食糧についてのメッセージを、腕の力が弱い若い女性アルバイトでも発信できる器具を提案するというモチベーションから発明されたものであり、特許文献１の発光軽量ボードにさらなる改良を施したものである。
【０００２】
すなわち「波板（Ｄ）」を利用したことに特徴がある。ここで「波板（Ｄ）」は、滑らかにウェーブした（波打った）曲面のもの以外にも、三角断面や「コ」の字断面の連続である三角波板・角波板でもよい。
【０００３】
また、本発明で用いる「ファイル・フォルダー（Ｆ）」は、定形の用紙を保持する直方体形状の容器一般を示すもので、本明細書で図示される箱型の「ファイル・ケース」以外の「ドキュメント・フォルダー」「プラスチック書類ケース」などと呼称して市販されているもののいずれでもよい。（本明細書では、これらを区別せず記号としては「Ｆ」を用いる）
【０００４】
特許文献１は、「化学発光スティック」をもちいる発明であった。また、モノクロで印字・描画したテキスト・絵の白黒を反転した「白黒反転画像シート」をもちいていた。特許文献１に対しては、類似の先行技術として特許文献２−４がある。たとえば、特許文献３は、文字や絵が描かれた標識板が、弾性変形可能な平板状に形成された前後二枚のプレートからなり、その両プレート間に、両プレートを弾性変形させて化学発光体（化学発光スティック）を出し入れ自在に挿嵌挟持する構成である。
【０００５】
一方、「化学発光スティック」以外にも、棒状（スティック状）の軽量光源として、小型軽量なボタン電池と発光ダイオードの組み合わせが挙げられる。「化学発光スティック」は３０−５０ｇであるが、「ＬＥＤペンライト」、「サイリュームクラシック（ペンライト）」などの商品名で市販されているものも、５０ｇ以下である（図２０参照）。
【０００６】
これらの製品は、ボタン電池・発光ダイオードの光源に棒状の蛍光材及び／または導光材及び／または蓄光材からなる棒状発光部を結合した、棒状LED発光体（ＬＤ）であって、ボタン電池によって３０時間程度の発光時間が確保される。ただし、市販価格は化学発光スティックの７−１５倍、￥７００−１,５００である。
【０００７】
また一方、棒状という形態にこだわらなければ、小型軽量なボタン電池と発光ダイオードの組み合わせを光源として、たとえば、図３７に例示するような「波板に複数の発光ダイオードを直に配設したもの」も考えられる。
【０００８】
発明者は、本願発明が「化学発光スティック」に限定されるものではないと考えた。すなわち、本願は前記の「波板（Ｄ）」が新たな特徴で、光源は「化学発光スティック」以外の任意の軽量光源でよい。ここで、本明細書の光源を整理すると、「Ｌ」＝発光体、「ＬＢ」＝棒状発光体（形状が棒状、スティック状、ペン状のもの）、「ＬＣ」＝化学発光スティック（化学反応発光による棒状発光体）、「ＬＤ」＝発光ダイオードと棒状の蛍光材・導光材・蓄光材による棒状LED発光体、である。  
【０００９】
「Ｌ」は、発光ダイオード単体、「ＬＢ」、「ＬＣ」、「ＬＤ」等をすべて含む上位概念である。そして「ＬＢ」は「ＬＣ」や「ＬＤ」を含むものである。
【００１０】
また、本願発明で用いる画像シートは、特許文献１の「白黒反転画像シート」でなくともよいと考えた。すなわち、通常のモノクロ印刷、カラー印刷でもコントラストが大きい画像であれば十分にメッセージを伝えることができる。それに加え、カラーの半透明シートに文字や図形を描画したものを様々な色のバックライト光で照らし出せば視認性は抜群で、白黒コントラストよりも色彩による強調効果で目立つ場合もある。
【００１１】
いずれにせよ本願は「波板（Ｄ）」が特徴である。「波板（Ｄ）」利用の発光ボードというものが公知であるか否か、を特許庁データベースで調査した（２０１４年４月１日実施）。すなわち、ＩＰＤＬにて、『要約＋請求の範囲』キーワードによる次の検索を実行した。公開特許公報、公開実用新案公報、・・・中国実用新案機械翻訳和文抄録をすべてチェックを入れた。
・第一のキーワード＝「波板  波状の板」
・第二のキーワード＝「発光  蛍光  LED  ＬＥＤ  発光ダイオード」
・第三のキーワード＝「文字  図」
・NOT（これを含まない）のキーワード＝「導波板」
その結果、ヒット件数は４４件であった。しかしながら、かかる４４件のヒット文献と、本発明とは無関係であった。
【００１２】
ヒット件数 44 件 
1特開2013-105120  光走査装置  リコー
2特開2012-181966  照明装置  東芝
3特開2012-163435  アコースティック・エミッション検出器  東芝  他
＜中略＞
42米抄2003/0103193  光弁投影器の照射のための・・・の使用          
43米抄2002/0018308  光伝送装置      
44欧抄000190383 反復形光フイルタシステムGRUMMAN AEROSPACE CORP
【００１３】
同上の検索にて、第三のキーワードを置換して検索を実行した。
・第三のキーワード＝「表示」
その結果、ヒット件数は３４件であった。しかしながら、かかる３４件のヒット文献と、本発明とは無関係であった。
【００１４】
ヒット件数 34 件 
1特開2005-049892 ディスプレイの駆動装置及び・・駆動方法  日本碍子
2特開2005-025221 ディスプレイの駆動装置及び・・駆動方法  日本碍子
3特開2004-185025 ディスプレイの駆動装置及び・・駆動方法  日本碍子
＜中略＞
32米抄2002/0097354 色付き照明装置               
33米抄007232969 キ−パツド Speed Tech Corp
34欧抄001074674  隠れた強磁性構造・・装置 BraasFlachdachsysteme・・
【００１５】
さらに、検索サイト「Google」で調査をおこなった（２０１４年４月２日実施）。すなわち、前記の第一から第三のキーワード群を適当に組み合わせ、たとえば「波板、文字、文字」等々を検索した。
その結果、本発明の類似の情報を開示しているウェッブサイトは発見できなかった。
【００１６】
検索の過程で、波板状の反射板をバックライトとして表示に利用するもの（特許文献５）、発光ダイオードと波板状の反射板による発光表示板（特許文献６）を記載した文献が発見された。これらには本発明の「ファイル・フォルダー（Ｆ）」を利用した構成は示されていない。
【００１７】
【特許文献１】特願2013-228601「文字・絵・・発光軽量ボード」本願出願人
【特許文献２】特許第3595642号公報「非常用ライト」能美防災
【特許文献３】実用新案3068436号公報「標識板」秩父産業
【特許文献４】実開平3-84502号公報「面状発光体及び表示板」ハイパーケミカル
【特許文献５】特開2007-213856号公報「バックライトユニット」東芝ライティング
【特許文献６】特開2003-015558号公報「発光表示板」ブリジストン
【発明の開示】
【発明が解決しようとする課題】
【００１８】
本発明は、発光ダイオード光源と市販の樹脂製ファイル・フォルダーの軽量性を活かした軽量発光ボードを提案するものである。
特に、女性や子どもでも携行したり振り回したりできる顕著な軽量性、パソコンで打ち込んで印刷した文字列や手書き描画イメージを簡単に発光表示できる利便性、震災などによる停電時に備える防災用や夜間の幼児教育などに利用できる広範な有用性をもたせることを課題とした。
【課題を解決するための手段】
【００１９】
本発明の骨子は以下の［００］から［０３］であり、これに従属する態様は［０４］から［１０］である。これらに有用な工夫を加えた態様は、［１１］から［１７］に示される。すなわち、
【００２０】
［００］  本発明は、  開閉できる直方体形状の樹脂製ファイル・フォルダー（Ｆ）、および、発光体（Ｌ）を用いた文字及び／または図を発光表示するボードであって、前記の樹脂製ファイル・フォルダー（Ｆ）の少なくとも一面が光を透過しやすい樹脂製で、表示する文字及び／または図を描画した画像シートが前記の光を透過しやすい面の内側に配設されている。
【００２１】
［０１］  そして、樹脂製ファイル・フォルダー（Ｆ）に収められるサイズの波板（Ｄ）の谷部に前記の発光体（Ｌ）を配設して、該波板（Ｄ）と谷部の発光体（Ｌ）を、前記の光を透過しやすい面とその対向面とで挟んだ、発光ボードである。
【００２２】
［０２］  本発明の発光ボードは、波板（Ｄ）が、樹脂製ファイル・フォルダー（Ｆ）に収められるようにＮ枚に分割された波板（Ｄ１、Ｄ２、・・・ＤＮ）からなるものであってもよい。（ここでＮは自然数である）
【００２３】
［０３］  本発明の発光ボードは、波板（Ｄ）に、表示する文字及び／または図を示す光通過孔が穿孔されたものでもよい。
【００２４】
［０４］  本発明の発光ボードは、樹脂製ファイル・フォルダー（Ｆ）の最大面積をなす対向する二面（Ａ、Ｂ）がともに光を透過しやすい樹脂製で、表示する文字及び／または図を描画した二枚の画像シート（ＡＡ、ＢＢ）を前記の対向する二面（Ａ、Ｂ）それぞれの内側に配設するとともに、樹脂製ファイル・ケース（Ｆ）に収められるサイズの波板（Ｄ）の表裏の谷部に発光体（Ｌ）を配設して、該波板（Ｄ）とその表裏の谷部の発光体（Ｌ）を前記の対向する二面（Ａ、Ｂ）で挟むことで、該二面（Ａ、Ｂ）それぞれに文字及び／または図を発光表示する、という態様でもよい。
【００２５】
［０５］  本発明の発光ボードの発光体（Ｌ）が、棒状発光体（ＬＢ）であってもよい。
【００２６】
［０６］  本発明の発光ボードの、棒状発光体（ＬＢ）が、化学発光スティック（ＬＣ）であってもよい。
【００２７】
［０７］  本発明の発光ボードの、棒状発光体（ＬＢ）が、発光ダイオードの一次発光部と、該一次発光部の光エネルギーで二次発光する棒状蛍光材及び／または棒状導光材及び／または棒状蓄光材からなる棒状の二次発光部とを結合させてなる棒状LED発光体（ＬＤ）であってもよい。
【００２８】
［０８］  本発明の波板（Ｄ）の全部または一部が、光を透過しやすい材によるものであってもよい。
【００２９】
［０９］  本発明の波板（Ｄ）の光を透過しやすい材による波板（Ｄ）の全部または一部の表面に、表示する文字及び／または図が描画された態様でもよい。
【００３０】
［１０］  本発明の波板（Ｄ）の全部または一部が、光を反射しやすい材によるものである、あるいは、波板（Ｄ）の全部または一部の表面に、光反射率の高い材を塗布または接着または圧着または蒸着したものであるという態様でもよい。
【００３１】
［１１］  また、本発明の波板（Ｄ）に結合し、かつ、棒状発光体（ＬＢ）が挿入できるメス部を有して挿入された棒状発光体（ＬＢ）を波板（Ｄ）に結合保持する保持具が波板（Ｄ）に配設されたという態様でもよい。
【００３２】
［１２］  また、本発明の棒状発光体（ＬＢ）を波板（Ｄ）に縛って保持する紐状の保持具（Ｕ）が波板（Ｄ）に配設されたという態様でもよい。
【００３３】
［１３］  また、本発明の波板（Ｄ）に結合し、かつ、化学発光スティック（ＬＣ）が挿入できるメス部を有して挿入された化学発光スティック（ＬＣ）を波板（Ｄ）に結合保持する保持具が波板（Ｄ）に配設され、かつまた、該保持具に、化学発光スティック（ＬＣ）が挿入された際に接触して化学発光スティック（ＬＣ）を湾曲させるための支点となる突出部、及び／または、  該保持具の内面に、化学発光スティック（ＬＣ）が挿入された際に高摩擦係数で化学発光スティック（ＬＣ）の表面と接して化学発光スティック（ＬＣ）を湾曲させるための支点となる高摩擦材からなる部位が配設されたという態様でもよい。
【００３４】
［１４］  また、本発明の文字及び／または図を描画した画像シートが、モノクロの文字及び／または図を白黒反転させて描画した画像シートであるのは、高コントラストとなって視認性がよく好適である。
【００３５】
［１５］  また、本発明の文字及び／または図を描画した画像シートの全部または一部が、光を透過しやすい材によるシートであるのは、光源の光を十分に利用した明るい表示となしうるので好適である。
【００３６】
［１６］  また、本発明の波板（Ｄ）の一部が光を透過しやすい材によるもので、波板（Ｄ）の他の一部が光を反射しやすい材によるものである、あるいは、本発明の波板（Ｄ）の一部が光を透過しやすい材によるもので、波板（Ｄ）の他の一部が光反射率の高い材を表面に、塗布または接着または圧着または蒸着したものであるのは、発光表示面にバリエーションを与え、目立つので好適である。
【００３７】
［１７］  さらにまた、波板（Ｄ）の孔を通過する文字及び／または図の表示光が、発光ボードを見る方向によって波板（Ｄ）の山で遮蔽され、発光ボードを見る方向による暗号化効果を得られるので場合によっては利用価値があり好適である。
【００３８】
以下に［００］から［１０］、［１１］−［１７］について順に説明を加える。
［００］［０１］
本発明の基本的な構成であって、図３７のような発光ダイオード（LED）単体を波板（Ｄ）の谷部に直接配設した構成も含むものである。
【００３９】
図３７の構成では波板の曲面上に光を遮らないようにLED電源配線をする必要があるが、樹脂上にプリント配線すればよい。最近の３Ｄプリンターはこれができるものもあるし、東大発ベンチャーAgIC社が、普通のプリンターで電子回路配線するキットを製品化予定でこれを利用する手もある。（プリント配線用３Ｄプリンター：「The EX１」Cartesian Co、「GreenJet」Camtek社など）
【００４０】
もちろん、リード線を波板曲面上に接着するなどしてもよい。当然ながら、LEDの点灯消灯用のマイクロスイッチは、ファイル・フォルダー（Ｆ）の外側に配設するのがよいだろう。 
【００４１】
［０２］
波板（Ｄ）を樹脂製ファイル・フォルダー（Ｆ）に収められるようにＮ枚に分割した構成である。Ｎ＝２の二分割で十分に効果的である（図１４参照）。
分割は、発光体（Ｌ）を配設した波板（Ｄ）の出し入れの作業性を向上させるだろう。また、発光ボードを防災品として保存する際に小さなものに分割された波板（Ｄ）のスペアを保管するのにも分割されていると保管しやすいだろう。
【００４２】
特に棒状光源（ＬＢ）の場合には、発光色の違うものや、棒の長さの違うものに置き換えをするので、交換の作業性のよさは評価されるだろう。とりわけ使い捨ての化学発光スティック（ＬＣ）ではＬＣ交換は頻繁である。
【００４３】
Ｎ＝３（３枚３分割）、Ｎ＝４（４枚４分割）は、後述する半透明材（光透過しやすい材）の波板の場合に有効である。すなわち、それぞれの分割波板（ＤＮ）の半透明体の色を変えた態様である。色を変えると、発光体から各分割波板に向かう発光色が同じでも、色違いの分割波板を通過した光の色が変わり、それで照射される表示は複数色が混在することになる。
【００４４】
そのため文字や図形の視認性があがる。同様の効果は、色違いの発光体（Ｌ）の混在使用や、前述の（［００１０］）カラーの半透明シートの色を変えることでも得られる。これらとの組み合わせ、すなわち、光源色と２重の色フィルタにて多様な混色光での色彩効果が得られる。様々な用途でアーティスティックな演出を行う際、多くの色彩バリエーションができることは有効である。
【００４５】
［０３］
これは波板（Ｄ）に表示する文字及び／または図を示す光通過孔を穿孔して、波板（Ｄ）自体を表示文字・表示図形の遮光マスクとする態様である。
【００４６】
本発明では、表示する文字や図形は、ここでいう波板の孔による遮光表示マスク、後述する透明波板の表面印刷、画像シートの３通りの組み合わせが可能である。これらをうまく組み合わせて様々な使い方ができる。
【００４７】
図３０がその一例である。すなわち、波板の穿孔によって「NEWS」を遮光マスクで表示しておいて、刻々と変わるニュースの内容「TEXT」と「headline」は画像シートに印字して交換する、という使い方で、いつも表示する「NEWS」をいちいち画像シートに印字・印刷する必要がなく便利である。
【００４８】
また、災害時の使用法としては、「緊急連絡」「連絡せよ」という文字を遮光マスクで表示しておいて、その都度変わる緊急連絡すべき内容や連絡先を印字してその画像シートを交換する、という使い方もできる。
【００４９】
図３１は別種の使い方である。すなわち、波板の穿孔によってヒトの顔の輪郭の一部と口を遮光マスクで表示しておいて、眼と眉を描画した画像シートを重ねて「ふくわらい」のような演出を行う、とか、画像シートの眼と眉の絵を交換して感情の変化を表現する、といったこともできる。
【００５０】
［０４］
樹脂製ファイル・フォルダー（Ｆ）は、透明樹脂や色のついた半透明の製品が市販されている。そのような製品であれば最大面積をなす対向する二面（Ａ、Ｂ）はともに光を透過しやすい。そこでその二面（Ａ、Ｂ）に別々の表示する文字及び／または図を描画した二枚の画像シート（ＡＡ、ＢＢ）を用意して、対向する二面（Ａ、Ｂ）それぞれの内側に配設すると両面表示ができる。（図１−図２）
【００５１】
特徴は、波板（Ｄ）の利用にある。すなわち、樹脂製ファイル・ケース（Ｆ）に収められるサイズの波板（Ｄ）の「表裏の谷部」に発光体（Ｌ）を配設するということである。
【００５２】
図６がこれを示すもので、ＡＡのバックライトであるＬＢ１とＢＢのバックライトであるＬＢ２を波板（Ｄ）の「表裏の谷部」に交互に配設することでコンパクトな構成とすることができる。
【００５３】
棒状発光体（ＬＢ）が波板（Ｄ）谷部で横滑り移動するのは好ましくないので、図３に示されるＧ１（＝棒状発光体ＬＢ１の端部に衝突して横滑り移動を妨げる突起）があるとよい。なおＧ２は、Ｂ面側の棒状発光体ＬＢ２の横滑り移動を妨げる突起形成のためＡ面側にできた孔である。
【００５４】
図１−図１９は、二面（Ａ、Ｂ）それぞれに棒状発光体（ＬＢ）を３本ずつ用いた例である。もちろん３本以外の任意の本数による構成が可能である。
【００５５】
多くの発光体（Ｌ）で波板（Ｄ）をまんべんなくカバーすればよいのだが、費用を考えれば少ない発光体（Ｌ）で波板（Ｄ）面内まばらに配設するべきだろう。棒状発光体（ＬＢ）の場合に、Ｇ１（Ｇ２）を要するのはそのためである。
【００５６】
図４は、Ａ４サイズのファイル・ケース（Ｆ）に標準的な長さ（概１５ｃｍ）の棒状発光体（ＬＢ）を３本ずつ用いた場合のレイアウト例である。このような配置であれば、軽量とはいえアンバランスになって持ちにくくなることを避けられるし、表示光も二面（Ａ、Ｂ）全体に行き渡る。図５および図７、図８は、図４の場合における突起Ｇ１（Ｇ２）のレイアウトを示すものである。
【００５７】
市販されている樹脂製Ａ４のファイル・ケースは１００−２００円で約２５０グラム。化学発光スティック（ＬＣ）も１００−２００円で約３５グラム。図１−図１９で例示されるスティック６本を用いた両面発光の構成例は、５００グラム以下と軽量かつ廉価である。
【００５８】
発光ダイオードと棒状の蛍光材・導光材・蓄光材による棒状LED発光体（ＬＤ）でも化学発光スティック（ＬＣ）と重量差異がない。７−１０倍の光源コストが問題にならない場合はこれを採用すればよい。発光ダイオード単体を波板（Ｄ）に配置する構成の場合（図３７）ではさらに軽量になるだろう。
【００５９】
［０５］［０６］［０７］
このように本発明では、発光体（Ｌ）として発光ダイオード単体を波板（Ｄ）に配置した構成、発光体（Ｌ）を棒状発光体（ＬＢ）の化学発光スティック（ＬＣ）や棒状LED発光体（ＬＤ）とした構成をケース・バイ・ケースで使い分ければよい。どの発光体を採用するかは用途による。たとえば、震災対策として長期保存するのには、化学発光スティック（ＬＣ）が好適であろう。
【００６０】
もちろん発光ダイオード単体、化学発光スティック（ＬＣ）、発光ダイオードによるペンライト等（ＬＤ）を組み合わせて用いてもよい。
【００６１】
また、もともと化学発光スティック（ＬＣ）や棒状LED発光体（ＬＤ）は、夜間の軍事行動のために用いる棒状赤外発光体として開発されたもので、発光波長は赤外領域も含み、赤外発光製品も市販されている。特別な用途にそれらの赤外光源を用いてもよい。
【００６２】
［０８］  
（図２１−２５参照）波板（Ｄ）の全部が透明材であれば、発光体（Ｌ）の光は二面（Ａ、Ｂ）の双方を照射することになる。波板（Ｄ）は発光体（Ｌ）を配設する治具にすぎないが、波板形状によって多くの発光体、とりわけ多くの棒状発光体（ＬＢ）を表裏に充填して配置でき、高輝度を要する場合に有効である。
【００６３】
それに対して、波板（Ｄ）の一部が光を透過しやすい材によるものであると二面（Ａ、Ｂ）それぞれの面内で表示の分割効果が得られる。たとえば、半面が透明で他の半面はアルミホイルなどの反射材として、表裏の発光体（Ｌ）の発光色を変えると、透明部では表裏の発光体（Ｌ）色の混色、反射材部では単色で照明され分離されたイメージになる。
【００６４】
図２１−２２が波板（Ｄ）の全部が透明材で２本の棒状LED発光体（ＬＤ）を配した例、これに対して図２３−２４は、半面の透明性をキープしたまま、他の半面にはアルミホイルを反射材として接着した。２本の棒状LED発光体（ＬＤ）の発光色は「赤」と「青」である。
【００６５】
図２４は、図２３の２つのＬＤの一方を裏面に移し、両方のＬＤのLEDを点灯したときの写真である。これに表示文字を白黒反転させて印字した画像シートＡＡ、ＢＢをファイル・ケース（Ｆ）に配設して閉じ、暗所で撮影した写真が図２５である。
【００６６】
カメラの波長感度が「赤」と「青」でやや異なるので、「青」単独で反射照射されている部位がやや暗く、「赤」単独で反射照射されているところが最も明るく写っている。透明部では「赤青」混色され、図２４の配置からわかるように２本の棒状LED発光体（ＬＤ）から離隔しているので最も暗く写っている。
【００６７】
［０９］
波板（Ｄ）が透明樹脂などの光を透過しやすい材の場合には、波板（Ｄ）自体を表示文字や図形のマスクにできる。すなわち、波板（Ｄ）の全部または一部の表面に、文字及び／または図が描画すれば、その文字及び／または図の部分だけが光を透過しないので、これを表示できる。
【００６８】
たとえば、図３０の例で、「NEWS」を波板（Ｄ）の穿孔によって表示すると説明したが、この図の波板（Ｄ）が透明材であれば、「NEWS」という文字を波板（Ｄ）表面に描画してもよい。［００４７］での説明と同様に、刻々と変わるニュースの内容である「TEXT」と「headline」は画像シートに印字して交換する、という使い方ができ、いつも表示する「NEWS」をいちいち画像シートに印字・印刷する必要がなく便利である。
【００６９】
同様に図３１の例で、ヒトの顔の輪郭の一部と口を透明の波板（Ｄ）表面に描画してもよい。
【００７０】
［１０］
ここまでの説明でしばしば例示したように、波板（Ｄ）の全部または一部が、光を反射しやすい材によるものであると、その谷部に配設された発光体（Ｌ）がなんであれ、光を前方に送る効率が上がるので効果的である。これは蛍光灯や液相バックライトに採用される公知の構成ではあるが、樹脂製ファイル・フォルダー（Ｆ）を含む構成としてはこれまでなかった。
【００７１】
さらに波板（Ｄ）の一部だけ、あるいは、複数の分割された波板（ＤＮ）のいずれかだけを光を反射しやすい材によるものとする構成は新規であり、かつ、前述の分割表示効果、ないしは、単色と混色による色彩効果を奏するものである。（図２３-図２５）
【００７２】
光反射率の高いアルミホイル（箔）やアルミ系の材料を塗布または接着、あるいは、箔の圧着または蒸着等の公知技術を用いて表面に配すればよい。
【００７３】
［１１］
両面テープや接着剤で波板（Ｄ）の谷部に結合配設した中空円筒（Ｑ）に棒状発光体（ＬＢ）を挿入するようにすれば、棒状発光体（ＬＢ）がうまく保持され好適である（図９参照）。一般的に棒状発光体（ＬＢ）が挿入できるメス部を有している部材であれば棒状発光体（ＬＢ）を波板（Ｄ）に結合保持する保持具として利用できるだろう。
【００７４】
中空円筒の一端を閉塞されたもの（Ｔ）を波板（Ｄ）の谷部の端部に配設してもよい（図１５−図１６参照）。これは、たとえば図１４に示されるように２分割された波板（Ｄ１、Ｄ２）に採用するのが好適である。すなわち、Ａ面側のＤ１とＢ面側のＤ２との交互配置として、２つの「分割波板と棒状光源の結合セット」の棒状光源同士が、互い違いに相手の分割波板を押さえるように樹脂製ファイル・ケース（Ｆ）内にうまく収められる。
【００７５】
保持具は必ずしも個別個々に棒状発光体（ＬＢ）を保持するものでなくとも、図１９に「ＴＸ」として示すような複数のＬＢの端を嵌入させて複数のＬＢを保持する保持具であってもよい。
【００７６】
［１２］
また、棒状発光体（ＬＢ）を波板（Ｄ）に結合保持する他の保持具として、波板（Ｄ）の山谷を貫通させて配設した弾性紐（Ｕ）を利用してもよい（図１２−図１３参照）。一般的に言えば、紐状の保持具で棒状発光体（ＬＢ）を波板（Ｄ）に縛って保持するという態様である。ゴム等の弾性体の紐であれば、棒状発光体（ＬＢ）の交換作業の作業性は良好だろう。
【００７７】
［１３］
化学発光スティック（ＬＣ）を発光させるためには、スティックを湾曲させ、内部の反応液を保持する内管を割る必要がある。サイリューム（登録商標）、ルミカ（登録商標）という商品名で様々な発光色や長さのスティック状商品があるが、すべて割れやすい内管を湾曲しやすい外管に収めた２重管で、内管と外管に二種の化学発光反応液が分離格納されている。
【００７８】
前記の円筒保持具（Ｑ）に、化学発光スティック（ＬＣ）が挿入された際に接触して化学発光スティック（ＬＣ）を湾曲させるための支点となる突出部（Ｓ）が配設されていると前記の湾曲化させる発光作業に好適だろう（図１０参照）。
【００７９】
図１１に示すように、１）化学発光スティック（ＬＣ）を円筒保持具（Ｑ）の端に引っ掛ける  →２）突出部（Ｓ）を支点として湾曲させる  →３）そのまま化学発光スティック（ＬＣ）を円筒保持具（Ｑ）に嵌入させて押し込む、という作業で発光が開始される。災害時の不意の停電対策に本発明の表示ボードをもちいる際、このように発光作業がしやすい工夫を施しておけば、非力な女性や子供が発光させるときに楽に行えるだろう。
【００８０】
また、前記の突出部（Ｓ）の部位が高摩擦の「粗面」となっていてもよい。すなわち、保持具（Ｑ）の内面に、化学発光スティック（ＬＣ）が挿入された際に高摩擦で化学発光スティック（ＬＣ）の表面と接して化学発光スティック（ＬＣ）を湾曲させるための支点となるように高摩擦材からなる部位を配設しておくのも好適である。
【００８１】
図１７−図１８に、前記［００７４］（図１４）で説明した、２分割された波板（Ｄ１、Ｄ２）に配設した中空円筒の一端を閉塞されたもの（Ｔ）について、同様の突出部（Ｓ）を設けた場合の湾曲発光作業を示す。
【００８２】
また前記［００７５］（図１９）で説明した、複数のＬＢの端を嵌入させて複数のＬＢを保持する保持具「ＴＸ」にも同様の突出部（Ｓ）や高摩擦材からなる部位を配設しておくのが好適である。
【００８３】
［１４］
特許文献１では、「画像シート」がモノクロの文字及び／または図を白黒反転させて描画した画像シートである、としていたが、本発明でもこの態様は表示する文字及び／または図を視認する上で好適である。それに、文字及び／または図を描いてパソコンの描画ソフトで白黒反転させ、市販のプリンターで印刷することは容易である。
【００８４】
［１５］
また、「画像シート」としてOHPシートのような透明ないしは色彩のついた半透明のものを用いてもよい。これは、文字、または、図形部を光の遮へいマスクとするものである。前記の白黒反転とは逆に、文字だけ、または、図形だけを暗くしたコントラストの強調で発光表示させたいときに採用するとよい。
【００８５】
また、単に色彩のついた半透明シート（カラーシート）を発光表示の色合いを変える目的でＡＡ／ＢＢに重ねることもよい。その場合には、図３８に示すような「Ｆを開閉せずに画像シート出し入れできるスリット（シート挿入間隙）」をFに配設しておくことが望ましい。この画像シート出し入れできるスリット（シート挿入間隙）にカラーシートを挿入することで、表示の色合いを一変させることができる。後述の「光る紙芝居」のような用途に適している。
【００８６】
もちろん、通常の不透明画像シートの一部が、光を透過しやすい材とした平面上での透明／半透明シート（カラーシート）との組み合わせも可能である。透明テープなどで両者を貼り合わせばよい。この態様は簡単にできるので、場合によっては利用価値があるだろう。
【００８７】
ファイル・フォルダー（Ｆ）の二面（Ａ、Ｂ）それぞれに文字及び／または図を白黒反転させた二枚の画像シート（ＡＡ、ＢＢ）を配して発光表示する実施例を図２６−図２８に示す。
【００８８】
ＡＡに「Go」、ＢＢに「Stop」の白黒反転シートを配設した例が図２６（「Go」は青発光、「Stop」は赤発光）、ＡＡに「右→」、ＢＢに「←左」の白黒反転シートを配設した例が図２７、ＡＡ「Up（登り）」、ＢＢ「Down（下り）」の白黒反転シートを配設した例を図２８である。
【００８９】
図２６にて、「Go」と「Stop」の変化を当該発光ボードの縦反転で瞬時に行える。同様に図２７にて、「右→」と「←左」の変化、図２８は、「Up（登り）」、「Down（下り）」の変化を当該発光ボードの横反転で瞬時に行える。（それぞれの裏面は隠しておかねばならないが。）
【００９０】
こういった動的な発光表示が震災の大停電時の避難誘導に役立つだろう。本発明のボードは軽量なので、非力な女性でも避難誘導ができる。
【００９１】
特に図２８の例では、波板分割をふたつの三角形で行うと、文字分離や色彩効果が良好になる可能性があるだろう。
【００９２】
本発明は防災用途のみならず、幼児教育に好適な「光る紙芝居」として使い方がある。図２９はその一例であって、逆さ反転によるだまし絵を利用した４コマストーリーである。例示されるように、上下左右の反転で４つの表示パターンが瞬時変化する。この演出は、お泊り保育のような機会で夜間の子どもたちの注意をひくのに好適であろう。
【００９３】
図２９のような上下左右反転アクションでの表示変化に、前述のような色彩変化をもたせた色演出も加えれば様々な視覚効果が工夫できるので、芸術性ある作品も創作できる。
【００９４】
教育向けの使い方としては、表面に「これ、な〜んだ？」といった質問、裏面に「じつは、・・でした！」といった質問回答形式で、「文字の読み方」を教える、「色の表現（あか、とあお等）を教える」、「英単語を教える（あかはレッド、青はブルー）」・・など、主に幼児教育での利用が提案できる。
【００９５】
［１６］
前述の、ひとつの画像シート面内での「不透明」「透明／半透明」の組み合わせと同様の工夫を、ひとつの波板（Ｄ）の面でなしてもよい。すなわち、ひとつの波板（Ｄ）の面の一部が光を透過しやすい材、他の一部が光を反射しやすい材によるものとして組み合わせる、あるいは、他の一部が光反射率の高い材を表面に塗布・接着・圧着・蒸着したものとして混在させた態様である。この実施例はすでに図２３−図２５の説明部でも示した。
【００９６】
［１７］
本発明の波板（Ｄ）に穿孔して文字や図形を表示するときに、波板（Ｄ）の山と谷を利用した「見る方向による暗号化」ができる。すなわち、「見る方向による暗号化」の原理は、波板（Ｄ）の孔を通過する文字及び／または図の表示光が、発光ボードを見る方向によって波板（Ｄ）の山で遮蔽されることによるものである。
【００９７】
図３２がその一例である。波板（Ｄ）の山谷ピーク外の部分（傾斜部）に「Ａ」と「Ｂ」を示す孔を穿孔し、見る方向により「Ａ」と「Ｂ」を見分けられるようにした。作図の都合で「Ａ」と「Ｂ」が横向きになっているがそれに意味はない。
【００９８】
図３３が他例であって、波板（Ｄ）の谷部に「Ａ」を示す孔を穿孔し、正面のみに「Ａ」が見えるようにした例図である。
【００９９】
文字及び／または図の表示光が、発光ボードを見る方向によって波板（Ｄ）の山で遮蔽されるという原理からして、波板（Ｄ）の山の高さ、山谷のピッチ、山谷の傾斜角などが「見る方向による暗号化」に関与する。これらを投影シミュレーションソフト等を有するＣＡＤシステムで綿密に設計する必要があるだろう。試作段階では、おおむね効果ある暗号化をなすことができた。
【０１００】
図３４は、図３２の波板（Ｄ）に、さらに谷部に「Ｚ」を示す孔を穿孔し正面のみに「Ｚ」が見えるようにした例図である。この発光ボードを見ながら通行すると、横倒しの「ＡまたはＢ」→「Ｚ」→横倒しの「ＢまたはＡ」を順次見ることになる。これは夜間の商品宣伝などに使えるかもしれない。
【０１０１】
図３２−図３４のように、表示文字が「点描」でできる場合には、「見る方向による暗号化」の実施は比較的容易だろう。しかし、次に図３５−図３６に例示するもののように複雑な穿孔を要する場合には、ＣＡＤで波板と孔の設計をおこなって、３Ｄプリンターで孔あき波板全体を積層造形するとよいだろう。
【０１０２】
図３５が、波板（Ｄ）の山谷ピーク外の部分（傾斜部）に「Ａ」を示す孔を穿孔し見る方向により「Ａ」が見えるようにした例図で、図３６が、同じく波板（Ｄ）の山谷ピーク外の部分（傾斜部）に「Ｂ」を示す孔を穿孔し見る方向により「Ｂ」が見えるようにした例図である。
【発明の効果】
【０１０３】
本発明の効果はここまでに個別に記載したので再掲は略す。本発明の主たる用途は、明細書当初に記載したように、来るべき首都圏大震災のような災害時の防災用品である。本発明の軽量ボードが大停電となった闇の中で、明るい光をあたえることができると期待する。
【図面の簡単な説明】
【０１０４】
【図１】本発明実施例：表裏面の別光源としてＬＢ１とＬＢ２を有する
【図２】本発明実施例：ＡとＢ両面に表示するためＡＡとＢＢを有する
【図３】本発明実施例：ＬＢ１（２）の横滑り移動を妨げる突起Ｇ１（２）を有する
【図４】ＬＢ１（２）の配置例。軽量とはいえアンバランス配置すると持ちにくい
【図５】図４の場合にて突起Ｇ１（Ｇ２）の平面レイアウトを示す
【図６】本発明の実施例図  波板（Ｄ）の表裏の谷部にＬＢを配設した例
【図７】図５（ａ）の突起Ｇ１の配設状態の斜視図
【図８】図５（ｂ）の突起Ｇ２の配設状態の斜視図
【図９】ＬＢを嵌入保持するＬＢより大きい内径の管Ｑ（ＬＢの保持具）を示す図
【図１０】ＬＣを湾曲させる支点となる突起ＳをもつＱ（ＬＢの保持具）を示す図
【図１１】突起Ｓの使用法とＬＢをＱに嵌入保持する操作(１)→(２)→(３)を示す図
【図１２】Ｄの山谷を貫通し配設した弾性紐（ゴム）であるＬＢの保持具Ｕを示す図
【図１３】ＬＢの保持具ＵがＬＢ１、ＬＢ２を保持する状態を説明する図
【図１４】Ｔ（底部を閉塞したＱ）を有する分割された波板（Ｄ１、Ｄ２）を示す図
【図１５】波板Ｄ１のＴ（底部を閉塞したＱ）にＬＢ１端を嵌入させ保持する状況図
【図１６】波板Ｄ２のＴ（底部を閉塞したＱ）にＬＢ２端を嵌入させ保持する状況図
【図１７】突起Ｓ支点でＬＣを湾曲しＬＣの内管を折り発光さす状況図（波板Ｄ１）
【図１８】突起Ｓ支点でＬＣを湾曲しＬＣの内管を折り発光さす状況図（波板Ｄ２）
【図１９】複数のＬＢ端を嵌入させ複数ＬＢを保持する保持具ＴＸを説明する図
【図２０】LEDと棒状の蛍光・導光・蓄光材による棒状LED発光体（ＬＤ）の写真
【図２１】透明樹脂製の波板（Ｄ）にＬＤをＵで保持させた状態の写真
【図２２】図２１のＵで保持したＬＤのLEDを点灯したときの写真
【図２３】アルミホイルを表面接着した透明のＤにＬＤをＵで保持した写真
【図２４】図２３のＬＤの一方を裏面に移し、両ＬＤのLEDを点灯したときの写真
【図２５】図２４のＦを閉じ、暗所でＡＡ、ＢＢの表示文字等を撮影した写真
【図２６】ＡＡに「Go」、ＢＢに「Stop」の白黒反転シートを配設した例図
【図２７】ＡＡに「右→」、ＢＢに「←左」の白黒反転シートを配設した例図
【図２８】ＡＡ「Up（登り）」、ＢＢ「Down（下り）」の白黒反転シートを配設した例図
【図２９】二分割したＡＡ、ＢＢそれぞれに反転だまし絵シートを配設した例図
【図３０】「NEWS」を穿孔した波板（Ｄ）と「TEXT」「headline」のシートを重ねた例図
【図３１】顔輪郭と口の絵を穿孔した波板（Ｄ）と眼と眉の絵のシートを重ねた例図
【図３２】波板（Ｄ）の山谷ピーク外の部分（傾斜部）に「Ａ」と「Ｂ」を示す孔を穿孔し見る方向により「Ａ」と「Ｂ」を見分けられるようにした例図
【図３３】波板（Ｄ）の谷部に「Ａ」を示す孔を穿孔し正面のみに「Ａ」が見えるようにした例図
【図３４】図３２の波板（Ｄ）に、さらに谷部に「Ｚ」を示す孔を穿孔し正面のみに「Ｚ」が見えるようにした例図。この発光ボードを見ながら通行すると、横倒しの「ＡまたはＢ」→「Ｚ」→横倒しの「ＢまたはＡ」を順次見ることになる。
【図３５】波板（Ｄ）の山谷ピーク外の部分（傾斜部）に「Ａ」を示す孔を穿孔し見る方向により「Ａ」が見えるようにした例図
【図３６】波板（Ｄ）の山谷ピーク外の部分（傾斜部）に「Ｂ」を示す孔を穿孔し見る方向により「Ｂ」が見えるようにした例図
【図３７】複数LEDを発光体（Ｌ）として波板（Ｄ）の谷部に配設した構成例
【図３８】Ｆを開閉せずに画像シート出し入れできるスリット（シート挿入間隙）例示図
【符号の説明】
【０１０５】
Ａ  樹脂製ファイル・ケースの最大面積をなすひとつの光透過しやすい面
ａ１  「Ａ」という文字の上部を波板曲面に投影して穿孔した孔
ａ２ 「Ａ」という文字の中部を波板曲面に投影して穿孔した孔
ａ３ 「Ａ」という文字の下部を波板曲面に投影して穿孔した孔
ＡＡ  表示する文字及び／または図を白黒反転させて描画した画像シート
Ｂ  Ａに対向する面でこれも光を透過しやすい樹脂製
ｂ１  「Ｂ」という文字の上部を波板曲面に投影して穿孔した孔
ｂ２  「Ｂ」という文字の中部を波板曲面に投影して穿孔した孔
ｂ３  「Ｂ」という文字の下部を波板曲面に投影して穿孔した孔
ＢＢ  表示する文字及び／または図を白黒反転させて描画した画像シート
Ｄ  樹脂製ファイル・ケースに収められるサイズの波板
Ｄ１  樹脂製ファイル・ケースに収められるサイズを分割した一つの波板
Ｄ２  樹脂製ファイル・ケースに収められるサイズを分割した他の波板
Ｆ  樹脂製ファイル・ケース（ファイル・フォルダー）
Ｇ１  棒状発光体ＬＢ１の端部に衝突して横滑り移動を妨げる突起
Ｇ２  Ｇ１の突起形成のため表面にできた孔
Ｌ  発光体
ＬＢ  棒状発光体
ＬＢ１  ＡＡのバックライトであるＬＢ
ＬＢ２  ＢＢのバックライトであるＬＢ
ＬＣ  化学発光スティック（化学反応発光による棒状発光体）
ＬＣ１  ＡＡのバックライトであるＬＣ
ＬＣ２  ＢＢのバックライトであるＬＣ
ＬＤ  発光ダイオードと棒状の蛍光材・導光材・蓄光材による棒状LED発光体
ＬＥＤ  発光ダイオード
Ｐ  ＱをＤの谷部に固定する手段（両面テープなど）
Ｑ  ＬＢを嵌入通過させてＬＢを保持するＬＢよりやや大きい内径の管
Ｓ  化学発光するスティックＬＣを湾曲させる支点となる突起
Ｔ  ＬＢの端を嵌入させてＬＢを保持する保持具（底部を閉塞したＱ）  
ＴＸ  複数のＬＢの端を嵌入させて複数のＬＢを保持する保持具
Ｕ  ＬＢをＤの谷部に保持するためＤの山谷を貫通させて配設した弾性紐（ゴム）
【要約】
【課題】  緊急時の情報表示や教育用に使える軽量な発光表示ボードを提供する。
【解決手段】  軽量廉価な開閉できる直方体形状の透明樹脂製ファイル・フォルダー（Ｆ）に、化学発光スティック（ＬＣ）や、発光ダイオードと蛍光／導光／蓄光材の棒状発光部からなる棒状LED発光体（ＬＤ）を波板（Ｄ）の谷部に配設するとともに、表示する文字及び／または図を描画した画像シートを表示面に配設してなる両面発光ボード。波板（Ｄ）は光反射材でも、透明材でもよい。また、波板（Ｄ）を、小さなサイズの複数の小波板に分割してもよいし、波板（Ｄ）自体に表示する文字及び／または図を穿孔してもよい。
【選択図】  図１【図１】
0005580499.tif 000002
【図２】
0005580499.tif 000003
【図３】
0005580499.tif 000004
【図４】
0005580499.tif 000005
【図５】
0005580499.tif 000006
【図６】
0005580499.tif 000007
【図７】
0005580499.tif 000008
【図８】
0005580499.tif 000009
【図９】
0005580499.tif 000010
【図１０】
0005580499.tif 000011
【図１１】
0005580499.tif 000012
【図１２】
0005580499.tif 000013
【図１３】
0005580499.tif 000014
【図１４】
0005580499.tif 000015
【図１５】
0005580499.tif 000016
【図１６】
0005580499.tif 000017
【図１７】
0005580499.tif 000018
【図１８】
0005580499.tif 000019
【図１９】
0005580499.tif 000020
【図２０】
0005580499.tif 000021
【図２１】
0005580499.tif 000022
【図２２】
0005580499.tif 000023
【図２３】
0005580499.tif 000024
【図２４】
0005580499.tif 000025
【図２５】
0005580499.tif 000026
【図２６】
0005580499.tif 000027
【図２７】
0005580499.tif 000028
【図２８】
0005580499.tif 000029
【図２９】
0005580499.tif 000030
【図３０】
0005580499.tif 000031
【図３１】
0005580499.tif 000032
【図３２】
0005580499.tif 000033
【図３３】
0005580499.tif 000034
【図３４】
0005580499.tif 000035
【図３５】
0005580499.tif 000036
【図３６】
0005580499.tif 000037
【図３７】
0005580499.tif 000038
【図３８】
0005580499.tif 000039